(57)【要約】【課題】ターンテーブルとクランパとの圧着時における衝突速度を下げて部品同士による衝突音の軽減を図ったディスク駆動装置を提供する。【解決手段】昇降部材１０の係合ボス１０ａが、メインシャーシ２に支持されたカムスライダ４のカム溝８に係合され、カムスライダ４のスライド操作によりカム溝８に備えられた傾斜カム溝部８ｃで係合ボス１０ａが押動されてドライブシャーシ１１が昇降操作される。ドライブシャーシ１１の昇降により、ターンテーブル２５とクランパ２６とが接近離隔操作される。ターンテーブル２５とクランパ２６との接近操作に伴うカムスライダ４のスライド操作により、ターンテーブル２５とクランパ２６がマグネットの着磁力により圧着される際に、昇降部材１０の側面に接離自在に当接されて、昇降部材１０の昇時の負荷を大きくする弾性部２８を、メインシャーシ２に一体的に備える。【選択図】図１
2009129527.tif 000002
【特許請求の範囲】
【請求項１】
ディスクを回転させるモータ装置を備えたドライブシャーシあるいはドライブシャーシを取り付ける昇降部材の係合ボスが、メインシャーシにスライド自在に支持されたカムスライダのカム溝に係合され、カムスライダのスライド操作によりカム溝に備えられた傾斜カム溝部で係合ボスが押動されてドライブシャーシが昇降操作され、この昇降操作により、モータ装置に圧入されたターンテーブルとクランパとが接近離隔操作され、ターンテーブルとクランパとのマグネットの着磁力による圧着によりディスクを回転操作自在に保持するディスク駆動装置において、
前記ターンテーブルと前記クランパとの接近操作を伴う前記カムスライダのスライド操作により、ターンテーブルとクランパが前記圧着される際に、前記昇降部材の側面に接離自在に当接されて、昇降部材の昇時の負荷を大きくする弾性部が、前記メインシャーシに一体的に備えられていることを特徴とするディスク駆動装置。
【請求項２】
ディスクを回転させるモータ装置を備えたドライブシャーシあるいはドライブシャーシを取り付ける昇降部材の係合ボスが、メインシャーシにスライド自在に支持されたカムスライダのカム溝に係合され、カムスライダのスライド操作によりカム溝に備えられた傾斜カム溝部で係合ボスが押動されてドライブシャーシが昇降操作され、この昇降操作により、モータ装置に圧入されたターンテーブルとクランパとが接近離隔操作され、ターンテーブルとクランパとのマグネットの着磁力による圧着によりディスクを回転操作自在に保持するディスク駆動装置において、
前記ターンテーブルと前記クランパとの接近操作を伴う前記カムスライダのスライド操作により、ターンテーブルとクランパが前記圧着される際に、前記ドライブシャーシの側面に接離自在に当接されて、昇降部材の昇時の負荷を大きくする弾性部が、前記メインシャーシに一体的に備えられていることを特徴とするディスク駆動装置。
【請求項３】
ディスクを回転させるモータ装置を備えたドライブシャーシあるいはドライブシャーシを取り付ける昇降部材の係合ボスが、メインシャーシにスライド自在に支持されたカムスライダのカム溝に係合され、カムスライダのスライド操作によりカム溝に備えられた傾斜カム溝部で係合ボスが押動されてドライブシャーシが昇降操作され、この昇降操作により、モータ装置に圧入されたターンテーブルとクランパとが接近離隔操作され、ターンテーブルとクランパとのマグネットの着磁力による圧着によりディスクを回転操作自在に保持するディスク駆動装置において、
前記ターンテーブルと前記クランパとが前記圧着される前後の前記係合ボスが通過する前記傾斜カム溝部の領域で、該傾斜カム溝部の溝幅がその領域を通過する係合ボスの前記溝幅方向の外形寸法幅よりも狭く形成されると共に、その領域の傾斜カム溝部を形成する部分の溝壁部が弾性変形により係合ボスの通過を許容する弾性部とされていることを特徴とするディスク駆動装置。
【請求項４】
ディスクを回転させるモータ装置を備えたドライブシャーシあるいはドライブシャーシを取り付ける昇降部材の係合ボスが、メインシャーシにスライド自在に支持されたカムスライダのカム溝に係合され、カムスライダのスライド操作によりカム溝に備えられた傾斜カム溝部で係合ボスが押動されてドライブシャーシが昇降操作され、この昇降操作により、モータ装置に圧入されたターンテーブルとクランパとが接近離隔操作され、ターンテーブルとクランパとのマグネットの着磁力による圧着によりディスクを回転操作自在に保持するディスク駆動装置において、
前記ターンテーブルと前記クランパとが前記圧着される前後の前記係合ボスが通過する前記傾斜カム溝部の領域で、該傾斜カム溝部の溝幅がその領域を通過する係合ボスの前記溝幅方向の外形寸法幅よりも狭く形成されると共に、係合ボスに弾性変形によりその領域の通過を許容する弾性部が備えられていることを特徴とするディスク駆動装置。
【発明の詳細な説明】
【技術分野】
【０００１】
本発明は、ＤＶＤ等のディスクを利用するディスク駆動装置に関するもので、特に、スピンドルモータ等を備えたドライブシャーシあるいはドライブシャーシを取り付ける昇降部材のボスと、メインシャーシ上をスライドするカムスライダのカム溝との係合により、ドライブシャーシを昇降させ、前記スピンドルモータ等に圧入されたターンテーブルとクランパの圧着によりディスクの回転を保持しているディスク駆動装置において、ターンテーブルとクランパが圧着する際における駆動負荷を増すことによりターンテーブルの移動速度を下げ、部品同士の隙間に起因する衝突音を軽減することができるディスク駆動装置に関するものである。
【背景技術】
【０００２】
この種のディスク駆動装置として、ディスクが載置されるトレイの排出・収納動作に連動してカムスライダがスライド操作され、このカムスライダのスライド移動に伴って、ドライブシャーシあるいはドライブシャーシを取り付ける昇降部材の係合ボスが、カムスライダに形成されたカム溝に沿って摺動移動され、この摺動移動によりドライブシャーシが昇降操作されて、ターンテーブルとクランパとを接近離隔操作するものがあった（例えば、特許文献１参照）。また、このようなトレイの排出完了直前や収納直後に発生するトレイの揺動動作の発生を抑制するものも提案されている（例えば、特許文献２参照）。
【０００３】
例えば、ディスク駆動装置として、図５〜図１４に示すようなＤＶＤ等のディスクを利用した光ディスク駆動装置１がある。なお、各図中に示される座標軸は共通する方向を示すもので、トレイ３の移動方向にＹ軸をとり、トレイ３のディスク載置面３ａに平行でＹ軸と直交する方向にＸ軸をとり、これらＸ，Ｙ軸と直交する方向にＺ軸をとっている。
【０００４】
図５および図６に示すように、トレイ３は、メインシャーシ２上で、両側複数のガイド２ａに規制されてスライド可能に保持され、そのディスク載置面３ａに載置する図示しないディスクと共に光ディスク駆動装置１の装置本体１ａに対して挿入、排出される。このトレイ３の下面には、その片側に寄った位置においてＹ軸方向に延在するラック３ｂが形成されると共に、後述するカムスライダ４のボス４ａ，４ｂを各々ガイドする略Ｌ字状のガイド溝３ｃ，３ｄが形成されている。
【０００５】
カムスライダ４は、図７や図８に示すように、断面略Ｌ字状の部材で、メインシャーシ２によってＸ軸方向にスライド可能に保持され、その上面にはトレイ３のガイド溝３ｃ，３ｄと係合可能な位置に前記ボス４ａ，４ｂが突設され、一側部には駆動ギア５の小歯車部５ａと間欠噛合するラック４ｃが形成されている。
【０００６】
また、カムスライダ４には、後述するラックユニット６（図１２参照）の第二のラック７のボス７ａと係合可能なカム溝（図示省略）が形成されている。
【０００７】
一方、カムスライダ４のＺ―Ｙ平面に平行となる面には、図９〜図１１に示すように、Ｘ軸と平行な上下の上カム溝部８ａ，９ａおよび下カム溝部８ｂ，９ｂと、この上下のカム溝部８ａ，８ｂ，９ａ，９ｂ間にわたりＺ軸に対して傾斜する傾斜カム溝部８ｃ，９ｃとを有するカム溝８，９が形成されている。
【０００８】
そして、昇降部材１０の係合ボス１０ａ，１０ｂがそれぞれカム溝８，９に嵌入されて、相対摺動自在にガイドする構造とされている。
【０００９】
図５〜図８や図１３等に示すようにドライブシャーシ１１は、後方２箇所をダンパー１２を介してネジ１３でメインシャーシ２に取り付けられ、前方２箇所をダンパー１４を介してネジ１５で昇降部材１０に取り付けられている。
【００１０】
昇降部材１０は左右にガイド突部１０ｃ，１０ｄが設けられており、メインシャーシ２のガイド溝２ｂ，２ｃに沿ってＺ軸方向に昇降可能とされ、前方に配置されたカムスライダ４のカム溝８，９と係合可能な位置に前記係合ボス１０ａ，１０ｂが設けられている。
【００１１】
ドライブシャーシ１１には、ディスクを載置し回転させるモータ装置としてのスピンドルモータ１６や、ディスクの半径方向に移動しながらディスクに記録された信号を読み書きする光ヘッド１７および光ヘッド１７をディスクの半径方向へ移動させる部品が搭載されている。
【００１２】
光ヘッド１７はディスクの半径方向に主軸１８、副軸１９により平行移動可能なように保持されており、光ヘッド１７のディスクの半径方向への駆動は、駆動用モータ２０の回転を伝えるピニオンギア２１、該ピニオンギア２１に噛み合う駆動ギア２２、該駆動ギア２２に噛み合う光ヘッド１７のラックユニット６により駆動される構造とされている。
【００１３】
図１２に示されるように、駆動ギア２２の中間部に配置された第１ギア２２ａはピニオンギア２１に噛み合い、裏面側に配置された第２ギアはラックユニット６に噛み合い、上面側に配置された第３ギア２２ｂは中間駆動ギア２３に噛み合うよう構成されている。
【００１４】
そして、この中間駆動ギア２３は駆動ギア５の大歯車部５ｂに噛み合うように構成されている。
【００１５】
光ヘッド１７の駆動を安定して行うため、ラックユニット６は光ヘッド１７に固定された第一のラック２４および第一のラック２４のピッチ線方向に付勢バネ（図示省略）により付勢され平行移動可能なように保持された第二のラック７を有するいわゆるダブルラックで行えるように構成されている。
【００１６】
次に、トレイ３が、光ディスク駆動装置１から排出された状態から収納されるまでの動作について説明する。
【００１７】
図６、図８、図１３に示すように、駆動用モータ２０の回転がピニオンギア２１に伝えられ、駆動ギア２２の第１ギア２２ａから第３ギア２２ｂ、中間駆動ギア２３を経由して、駆動ギア５の小歯車部５ａに伝えられ、小歯車部５ａがトレイ３のラック３ｂに噛み合うことにより、トレイ３がＹ軸マイナス方向に移動される。
【００１８】
その後、カムスライダ４のボス４ａ，４ｂは、トレイ３のガイド溝３ｃ，３ｄに係合しながら摺動し、当該ガイド溝３ｃ，３ｄの壁に押されることで、カムスライダ４がＸ軸プラス方向に動作される。このカムスライダ４のＸ軸プラス方向の移動により、駆動ギア５の小歯車部５ａとカムスライダ４のラック４ｃとが噛み合い、カムスライダ４がさらにＸ軸プラス方向に移動される。
【００１９】
図９〜図１１に示すように、カムスライダ４の移動に伴い、昇降部材１０の係合ボス１０ａ，１０ｂはそれぞれカム溝８，９の下カム溝部８ｂ，９ｂから傾斜カム溝部８ｃ，９ｃに移動し、傾斜カム溝部８ｃ，９ｃで押動されて傾斜カム溝部８ｃ，９ｃの傾斜に沿って上方に移動し、上カム溝部８ａ，９ａに到達する。
【００２０】
この係合ボス１０ａ，１０ｂの上昇移動により、ドライブシャーシ１１が持ち上げられることとなる。
【００２１】
この場合において、係合ボス１０ａ，１０ｂが下カム溝部８ｂ，９ｂから傾斜カム溝部８ｃ，９ｃに移行後しばらくして、上カム溝部８ａ，９ａに到着する前に、図１４に示されるように、スピンドルモータ１６に圧入しているターンテーブル２５とクランパ２６が、ターンテーブル２５に圧入されているマグネット（図示省略）の着磁力で圧着される。そして、トレイ３が光ディスク駆動装置１に収納された状態が得られる。
【００２２】
そしてこのトレイ３の収納が完了するまで、駆動時の負荷に合わせてタイマーで駆動用モータ２０の電圧を設定している。
【００２３】
【特許文献１】特開２００２−２９８５４８号公報
【特許文献２】特開２００４−１４５９８１号公報
【発明の開示】
【発明が解決しようとする課題】
【００２４】
上記のようにトレイ３を収納するまで、駆動時の負荷に合わせて駆動用モータ２０の電圧を設定しているが、トレイ３が光ディスク駆動装置１から排出された状態から収納される際に、負荷が大きい箇所としては、ドライブシャーシ１１が持ち上げられる区間であり、それは昇降部材１０の係合ボス１０ａ，１０ｂがカムスライダ４のカム溝８，９の傾斜カム溝部８ｃ，９ｃに沿って移動している区間であり、この区間において駆動用モータ２０の駆動のための電圧を高く設定してある。
【００２５】
しかしながら、係合ボス１０ａ，１０ｂが傾斜カム溝部８ｃ，９ｃを移動する間において、マグネットの着磁力により、ターンテーブル２５とクランパ２６が引き合うことで、ターンテーブル２５とクランパ２６が圧着する瞬間は、昇降部材１０の係合ボス１０ａ，１０ｂとカムスライダ４の傾斜カム溝部８ｃ，９ｃとの相互間に僅かの隙間があるため、ターンテーブル２５とクランパ２６の両部品が速い速度でいわゆる衝突するように圧着することにより、衝突音を発するという問題があった。
【００２６】
そこで、本発明は、上記のような課題に鑑み、ターンテーブルとクランパとの圧着時における衝突速度を下げて部品同士による衝突音の軽減を図ったディスク駆動装置を提供することを目的とするものである。
【課題を解決するための手段】
【００２７】
本発明に係る請求項１記載のディスク駆動装置は、ディスクを回転させるモータ装置を備えたドライブシャーシあるいはドライブシャーシを取り付ける昇降部材の係合ボスが、メインシャーシにスライド自在に支持されたカムスライダのカム溝に係合され、カムスライダのスライド操作によりカム溝に備えられた傾斜カム溝部で係合ボスが押動されてドライブシャーシが昇降操作され、この昇降操作により、モータ装置に圧入されたターンテーブルとクランパとが接近離隔操作され、ターンテーブルとクランパとのマグネットの着磁力による圧着によりディスクを回転操作自在に保持するディスク駆動装置において、前記ターンテーブルと前記クランパとの接近操作を伴う前記カムスライダのスライド操作により、ターンテーブルとクランパが前記圧着される際に、前記昇降部材の側面に接離自在に当接されて、昇降部材の昇時の負荷を大きくする弾性部が、前記メインシャーシに一体的に備えられている点にある。
【００２８】
また、本発明に係る請求項２記載のディスク駆動装置は、ディスクを回転させるモータ装置を備えたドライブシャーシあるいはドライブシャーシを取り付ける昇降部材の係合ボスが、メインシャーシにスライド自在に支持されたカムスライダのカム溝に係合され、カムスライダのスライド操作によりカム溝に備えられた傾斜カム溝部で係合ボスが押動されてドライブシャーシが昇降操作され、この昇降操作により、モータ装置に圧入されたターンテーブルとクランパとが接近離隔操作され、ターンテーブルとクランパとのマグネットの着磁力による圧着によりディスクを回転操作自在に保持するディスク駆動装置において、前記ターンテーブルと前記クランパとの接近操作を伴う前記カムスライダのスライド操作により、ターンテーブルとクランパが前記圧着される際に、前記ドライブシャーシの側面に接離自在に当接されて、昇降部材の昇時の負荷を大きくする弾性部が、前記メインシャーシに一体的に備えられている点にある。
【００２９】
さらに、本発明に係る請求項３記載のディスク駆動装置は、ディスクを回転させるモータ装置を備えたドライブシャーシあるいはドライブシャーシを取り付ける昇降部材の係合ボスが、メインシャーシにスライド自在に支持されたカムスライダのカム溝に係合され、カムスライダのスライド操作によりカム溝に備えられた傾斜カム溝部で係合ボスが押動されてドライブシャーシが昇降操作され、この昇降操作により、モータ装置に圧入されたターンテーブルとクランパとが接近離隔操作され、ターンテーブルとクランパとのマグネットの着磁力による圧着によりディスクを回転操作自在に保持するディスク駆動装置において、前記ターンテーブルと前記クランパとが前記圧着される前後の前記係合ボスが通過する前記傾斜カム溝部の領域で、該傾斜カム溝部の溝幅がその領域を通過する係合ボスの前記溝幅方向の外形寸法幅よりも狭く形成されると共に、その領域の傾斜カム溝部を形成する部分の溝壁部が弾性変形により係合ボスの通過を許容する弾性部とされている点にある。
【００３０】
さらに、本発明に係る請求項４記載のディスク駆動装置は、ディスクを回転させるモータ装置を備えたドライブシャーシあるいはドライブシャーシを取り付ける昇降部材の係合ボスが、メインシャーシにスライド自在に支持されたカムスライダのカム溝に係合され、カムスライダのスライド操作によりカム溝に備えられた傾斜カム溝部で係合ボスが押動されてドライブシャーシが昇降操作され、この昇降操作により、モータ装置に圧入されたターンテーブルとクランパとが接近離隔操作され、ターンテーブルとクランパとのマグネットの着磁力による圧着によりディスクを回転操作自在に保持するディスク駆動装置において、前記ターンテーブルと前記クランパとが前記圧着される前後の前記係合ボスが通過する前記傾斜カム溝部の領域で、該傾斜カム溝部の溝幅がその領域を通過する係合ボスの前記溝幅方向の外形寸法幅よりも狭く形成されると共に、係合ボスに弾性変形によりその領域の通過を許容する弾性部が備えられている点にある。
【発明の効果】
【００３１】
本発明に係る請求項１記載のディスク駆動装置によれば、ターンテーブルとクランパとの接近操作を伴うカムスライダのスライド操作により、ターンテーブルとクランパが圧着される際に、昇降部材の側面に接離自在に当接されて、昇降部材の昇時の負荷を大きくする弾性部が、メインシャーシに一体的に備えられているため、マグネットの着磁力によりターンテーブルとクランパが圧着する際、弾性部が昇降部材の側面に当接して昇降部材の移動に負荷を与えることで、昇降部材の係合ボスとカムスライダの傾斜カム溝部との相互間に隙間がある場合でも、係合ボスの移動速度を有効に下げることができ、ここにターンテーブルとクランパとの圧着時における衝突速度を下げることができ、部品同士の衝突音の軽減が図れる。
【００３２】
また、本発明に係る請求項２記載のディスク駆動装置によれば、ターンテーブルとクランパとの接近操作を伴うカムスライダのスライド操作により、ターンテーブルとクランパが圧着される際に、ドライブシャーシの側面に接離自在に当接されて、昇降部材の昇時の負荷を大きくする弾性部が、メインシャーシに一体的に備えられているため、マグネットの着磁力によりターンテーブルとクランパが圧着する際、弾性部がドライブシャーシの側面に当接して昇降部材の移動に負荷を与えることで、昇降部材の係合ボスとカムスライダの傾斜カム溝部との相互間に隙間がある場合でも、係合ボスの移動速度を有効に下げることができ、ここにターンテーブルとクランパとの圧着時における衝突速度を下げることができ、部品同士の衝突音の軽減が図れる。
【００３３】
さらに、本発明に係る請求項３記載のディスク駆動装置によれば、ターンテーブルとクランパとが圧着される前後の係合ボスが通過する傾斜カム溝部の領域で、該傾斜カム溝部の溝幅がその領域を通過する係合ボスの溝幅方向の外形寸法幅よりも狭く形成されると共に、その領域の傾斜カム溝部を形成する部分の溝壁部が弾性変形により係合ボスの通過を許容する弾性部とされているため、係合ボスが傾斜カム溝部の溝幅の狭い部分を通過する際に溝壁部を弾性変形させるための負荷が生じ、係合ボスの移動負荷、即ち昇降部材の昇時の負荷が大きくなるため、係合ボスの移動速度を有効に下げることができ、ここにターンテーブルとクランパとの圧着時における衝突速度を下げることができ、部品同士の衝突音の軽減が図れる。
【００３４】
さらにまた、本発明に係る請求項４記載のディスク駆動装置によれば、ターンテーブルとクランパとが圧着される前後の係合ボスが通過する傾斜カム溝部の領域で、該傾斜カム溝部の溝幅がその領域を通過する係合ボスの前記溝幅方向の外形寸法幅よりも狭く形成されると共に、係合ボスに弾性変形によりその領域の通過を許容する弾性部が備えられているため、係合ボスが傾斜カム溝部の溝幅の狭い部分を通過する際に係合ボスの弾性部を弾性変形させるための負荷が生じ、係合ボスの移動負荷、即ち昇降部材の昇時の負荷が大きくなるため、係合ボスの移動速度を有効に下げることができ、ここにターンテーブルとクランパとの圧着時における衝突速度を下げることができ、部品同士の衝突音の軽減が図れる。
【発明を実施するための最良の形態】
【００３５】
＜実施の形態１＞
以下、本発明の実施の形態１を図面に基づいて説明すると、図１は本実施の形態に係るディスク駆動装置としての光ディスク駆動装置１の要部を示している。また、この光ディスク駆動装置１の構造は、前述の光ディスク駆動装置１の構造と略同様に構成されており、同様構成部分は同一符号を付している。
【００３６】
即ち、本実施の形態によれば、樹脂成型品で形成されたメインシャーシ２に、弾性作用を発揮するための弾性部２８が一体成形された構造とされている。この弾性部２８は、図１に示されるように、下部に折返し部２８ａを有する断面略Ｕ字状もしくは断面略Ｖ字状の弾性片部材からなり、折返し部２８ａから上向き突出状に配置された上部遊端状の一方の弾性当接片部２８ｂの上部が、ターンテーブル２５とクランパ２６がマグネットの着磁力により圧着される直前から、昇降部材１０の側面に接離自在に当接するように構成されている。
【００３７】
そして、係合ボス１０ａ、１０ｂがカム溝８，９における傾斜カム溝部８ｃ，９ｃに沿って上昇移動される際、弾性部２８の弾性当接片部２８ｂを弾性変形させながら上方向に漸次移動されていくように構成されている。また、その他の構造は、前述の光ディスク駆動装置１の構造と略同様に構成されている。
【００３８】
従って、本実施の形態によれば、メインシャーシ２に弾性部２８が一体的に備えられており、弾性部２８の弾性当接片部２８ｂは、ターンテーブル２５とクランパ２６とがマグネットの着磁力により圧着される際に昇降部材１０と当接して、昇降部材１０の昇時の負荷を大きくしているため、カムスライダ４のスライド操作における抵抗が大きくなり、駆動用モータ２０の駆動力が食われ、カムスライダ４の移動速度も遅くなる。そのため、昇降部材１０の係合ボス１０ａ，１０ｂとカムスライダ４の傾斜カム溝部８ｃ，９ｃとの相互間に隙間がある場合でも、係合ボス１０ａ，１０ｂの移動速度を有効に下げることができ、ここにターンテーブル２５とクランパ２６とのマグネットの着磁力による圧着時における衝突速度を下げることができ、部品同士の衝突音の軽減が有効に図れるという利点がある。
【００３９】
また、メインシャーシ２に断面略Ｕ字状や断面略Ｖ字状の弾性片部材からなる弾性部２８を一体成形した簡単な構造であり、部品点数の増加を招くことなく、既存の部品を使って容易に提供でき、部品コスト面や製造コスト面でも有利となる利点がある。
【００４０】
＜実施の形態２＞
図２は本発明の実施の形態２を示しており、上記実施の形態１を展開させたものである。そして、前述の光ディスク駆動装置１の構造と略同様に構成されており、同様構成部分は同一符号を付している。
【００４１】
即ち、本実施の形態によれば、実施の形態１と同様、樹脂成型品で形成されたメインシャーシ２に、弾性作用を発揮するための弾性部２８が一体成形された構造とされている。この弾性部２８は、図２に示されるように、下部に折返し部２８ａを有する断面略Ｕ字状もしくは断面略Ｖ字状の弾性片部材からなり、折返し部２８ａから上向き突出状に配置された上部遊端状の一方の弾性当接片部２８ｂの上部が、ターンテーブル２５とクランパ２６がマグネットの着磁力により圧着される直前から、ドライブシャーシ１１の側面に接離自在に当接するように構成されている。
【００４２】
そして、係合ボス１０ａ、１０ｂがカム溝８，９における傾斜カム溝部８ｃ，９ｃに沿って上昇移動される際、弾性部２８の弾性当接片部２８ｂを弾性変形させながら上方向に漸次移動されていくように構成されている。また、その他の構造は、前述の光ディスク駆動装置１の構造と略同様に構成されている。
【００４３】
従って、本実施の形態によれば、メインシャーシ２に弾性部２８が一体的に備えられており、弾性部２８の弾性当接片部２８ｂは、ターンテーブル２５とクランパ２６とがマグネットの着磁力により圧着される際にドライブシャーシ１１と当接して、ドライブシャーシ１１の昇時の負荷を大きくし、延いては昇降部材１０の昇時の負荷を大きくしているため、カムスライダ４のスライド操作における抵抗が大きくなり、駆動用モータ２０の駆動力が食われ、カムスライダ４の移動速度も遅くなる。そのため、昇降部材１０の係合ボス１０ａ，１０ｂとカムスライダ４の傾斜カム溝部８ｃ，９ｃとの相互間に隙間がある場合でも、係合ボス１０ａ，１０ｂの移動速度を有効に下げることができ、ここにターンテーブル２５とクランパ２６とのマグネットの着磁力による圧着時における衝突速度を下げることができ、部品同士の衝突音の軽減が有効に図れるという利点がある。
【００４４】
また、メインシャーシ２に断面略Ｕ字状や断面略Ｖ字状の弾性片部材からなる弾性部２８を一体成形した簡単な構造であり、部品点数の増加を招くことなく、既存の部品を使って容易に提供でき、部品コスト面や製造コスト面でも有利となる利点がある。
【００４５】
＜実施の形態３＞
図３は本発明の実施の形態３を示しており、この光ディスク駆動装置１の構造は、前述の光ディスク駆動装置１の構造と略同様に構成されており、同様構成部分は同一符号を付している。
【００４６】
即ち、本実施の形態によれば、樹脂成型品で形成されたカムスライダ４におけるカム溝８，９において、大部分の領域で、従来同様、昇降部材１０の係合ボス１０ａ，１０ｂを相対的に移動可能とすべく、カム溝８，９と係合ボス１０ａ，１０ｂとの相互間に僅かの隙間を有した構造とされているが、ターンテーブル２５とクランパ２６とがマグネットの着磁力で圧着される前後の係合ボス１０ａ，１０ｂが通過する傾斜カム溝部８ｃ，９ｃの領域で、傾斜カム溝部８ｃ，９ｃの溝幅がその領域を通過する係合ボス１０ａ，１０ｂの前記溝幅方向の外形寸法幅Ｌよりも狭くなるように、その領域の傾斜カム溝部８ｃ，９ｃを形成する部分の互いに対向する溝壁部８ｄ，９ｄの少なくともいずれか一方（本実施形態では上側の溝壁部８ｄ，９ｄ）に、他方に向けて突出する膨出部８ｅ，９ｅが形成されている。
【００４７】
そして、この膨出部８ｅ，９ｅが形成された溝壁部８ｄ，９ｄを支持する部分に対応してカムスライダ４に弾性変形許容孔８ｆ，９ｆが形成され、傾斜カム溝部８ｃ，９ｃに沿って係合ボス１０ａ，１０ｂが膨出部８ｅ，９ｅ部分を通過する際、膨出部８ｅ，９ｅを備えた溝壁部８ｄ，９ｄが弾性変形して係合ボス１０ａ，１０ｂの通過を許容するように構成されている。ここに、この部分の溝壁部８ｄ，９ｄにより弾性変形により係合ボス１０ａ，１０ｂの通過を許容する弾性部が構成されている。また、その他の構造は、前述の光ディスク駆動装置１の構造と略同様に構成されている。
【００４８】
従って、本実施の形態によれば、昇降部材１０の係合ボス１０ａ，１０ｂが傾斜カム溝部８ｃ，９ｃに沿って移動され、ターンテーブル２５とクランパ２６とがマグネットの着磁力により圧着される際に、係合ボス１０ａ，１０ｂが傾斜カム溝部８ｃ，９ｃの溝幅の狭い部分を通過する。そして、この通過の際に溝壁部８ｄ，９ｄを弾性変形させながら係合ボス１０ａ，１０ｂが傾斜カム溝部８ｃ，９ｃを通過することになり、溝壁部８ｄ，９ｄを弾性変形させるための負荷が生じ、昇降部材１０の昇時の負荷が大きくなる。そのためカムスライダ４のスライド操作における抵抗が大きくなり、駆動用モータ２０の駆動力が食われ、カムスライダ４の移動速度も遅くなる。ここに、係合ボス１０ａ，１０ｂの移動速度を有効に下げることができ、ターンテーブル２５とクランパ２６とのマグネットの着磁力による圧着時における衝突速度を下げることができ、部品同士の衝突音の軽減が有効に図れるという利点がある。
【００４９】
また、カムスライダ４における傾斜カム溝部８ｃ，９ｃの対応する部分に膨出部８ｅ，９ｅや弾性変形許容孔８ｆ，９ｆを形成した簡単な構造であり、部品点数の増加を招くことなく、既存の部品を使って容易に提供でき、部品コスト面や製造コスト面でも有利となる利点がある。
【００５０】
なお、カムスライダ４における溝壁部８ｄ，９ｄの対応部分に弾性変形許容孔８ｆ，９ｆを形成した構造を示しているが、膨出部８ｅ，９ｅを弾性材で形成して、溝壁部８ｄ，９ｄの対応部分に取り付ける構造であってもよい。
【００５１】
＜実施の形態４＞
図４は本発明の実施の形態４を示しており、上記実施の形態３を展開させたものである。そして、前述の光ディスク駆動装置１の構造と略同様に構成されており、同様構成部分は同一符号を付している。
【００５２】
即ち、本実施の形態によれば、樹脂成型品で形成された昇降部材１０における係合ボス１０ａ，１０ｂは、図４に示されるように、その下半部が中実状に形成されると共に、その上半部に中空部１０ｅを備え、この中空部１０ｅを両側から囲むように弾性部を構成する薄肉状の弾性片部１０ｆがそれぞれ一体に形成された構造とされている。
【００５３】
また、カムスライダ４におけるカム溝８，９において、大部分の領域で、従来同様、昇降部材１０の係合ボス１０ａ，１０ｂを相対的に移動可能とすべく、カム溝８，９と係合ボス１０ａ，１０ｂとの相互間に僅かの隙間を有した構造とされているが、ターンテーブル２５とクランパ２６とがマグネットの着磁力で圧着される前後の係合ボス１０ａ，１０ｂが通過する傾斜カム溝部８ｃ，９ｃの領域で、傾斜カム溝部８ｃ，９ｃの溝幅がその領域を通過する係合ボス１０ａ，１０ｂの前記溝幅方向の外形寸法幅Ｌよりも狭くなるように、その領域の傾斜カム溝部８ｃ，９ｃを形成する部分の互いに対向する溝壁部８ｄ，９ｄの少なくともいずれか一方（本実施形態では上側の溝壁部８ｄ，９ｄ）に、他方に向けて突出する膨出部８ｅ，９ｅが形成されている。
【００５４】
そして、この膨出部８ｅ，９ｅが形成された領域を、傾斜カム溝部８ｃ，９ｃに沿って係合ボス１０ａ，１０ｂが通過する際、膨出部８ｅ，９ｅに当接される弾性片部１０ｆが内向きに弾性変形して係合ボス１０ａ，１０ｂの通過を許容するように構成されている。また、その他の構造は、前述の光ディスク駆動装置１の構造と略同様に構成されている。
【００５５】
従って、本実施の形態によれば、昇降部材１０の係合ボス１０ａ，１０ｂが傾斜カム溝部８ｃ，９ｃに沿って移動され、ターンテーブル２５とクランパ２６とがマグネットの着磁力により圧着される際に、係合ボス１０ａ，１０ｂが傾斜カム溝部８ｃ，９ｃの溝幅の狭い部分を通過する。そして、この通過の際に係合ボス１０ａ，１０ｂの弾性片部１０ｆをそれぞれ弾性変形させながら係合ボス１０ａ，１０ｂが傾斜カム溝部８ｃ，９ｃを通過することになり、弾性片部１０ｆを弾性変形させるための負荷が生じ、昇降部材１０の昇時の負荷が大きくなる。そのためカムスライダ４のスライド操作における抵抗が大きくなり、駆動用モータ２０の駆動力が食われ、カムスライダ４の移動速度も遅くなる。ここに、係合ボス１０ａ，１０ｂの移動速度を有効に下げることができ、ターンテーブル２５とクランパ２６とのマグネットの着磁力による圧着時における衝突速度を下げることができ、部品同士の衝突音の軽減が有効に図れるという利点がある。
【００５６】
また、カムスライダ４における傾斜カム溝部８ｃ，９ｃの対応する部分に膨出部８ｅ，９ｅ形成すると共に、昇降部材１０の係合ボス１０ａ，１０ｂに弾性片部１０ｆを形成した簡単な構造であり、部品点数の増加を招くことなく、既存の部品を使って容易に提供でき、部品コスト面や製造コスト面でも有利となる利点がある。
【００５７】
なお、係合ボス１０ａ，１０ｂに中空部１０ｅを形成することにより、弾性変形を許容する弾性片部１０ｆを備えた構造を示しているが、中空構造に限らず、弾性変形を許容する弾性材で係合ボス１０ａ，１０ｂを形成する構造であってもよい。
【００５８】
＜他の実施の形態＞
また、上記の実施の形態１や実施の形態２においては、弾性部２８がメインシャーシ２に一体成形により一体的に備えられた構造を示しているが、同様構成のバネ片等をメインシャーシ２に一体的に固定することにより備える構造としてもよく、何ら実施の形態の構造に限定されない。
【００５９】
さらに、上記の実施の形態３や実施の形態４においては、膨出部８ｅ，９ｅを上側の溝壁部８ｄ，９ｄに設けた構造を示しているが、下側の溝壁部８ｄ，９ｄに膨出部８ｅ，９ｅを設ける構造としてもよい。この場合、弾性変形許容孔８ｆ，９ｆは下側の溝壁部８ｄ，９ｄに対応して形成され、係合ボス１０ａ，１０ｂの弾性片部１０ｆは下半部に設けられる構造となる。また、同様にして、上側と下側の双方の溝壁部８ｄ，９ｄに膨出部８ｅ，９ｅを設ける構造であってもよく、何ら実施の形態の構造に限定されない。
【００６０】
さらに、ドライブシャーシ１１に昇降部材１０を取り付け、この昇降部材１０に係合ボス１０ａ、１０ｂを設けた構造を示しているが、昇降部材１０を省略し、ドライブシャーシ１１にカムスライダ４のカム溝８，９に係合される係合ボスを設ける構造としてもよい。
【００６１】
また、光ディスク駆動装置１に限らず、その他のディスク駆動装置であってもよい。
【図面の簡単な説明】
【００６２】
【図１】本発明に係る実施の形態１の光ディスク駆動装置の要部説明図である。
【図２】本発明に係る実施の形態２の光ディスク駆動装置の要部説明図である。
【図３】本発明に係る実施の形態３の光ディスク駆動装置の要部説明図である。
【図４】本発明に係る実施の形態４の光ディスク駆動装置の要部説明図である。
【図５】従来の光ディスク駆動装置の平面図である。
【図６】従来の光ディスク駆動装置からドライブシャーシに搭載されている部品を削除した状態を示す平面図である。
【図７】従来の光ディスク駆動装置の要部斜視図である。
【図８】従来の光ディスク駆動装置の要部平面図である。
【図９】従来の光ディスク駆動装置の要部動作説明図である。
【図１０】従来の光ディスク駆動装置の要部動作説明図である。
【図１１】従来の光ディスク駆動装置の要部動作説明図である。
【図１２】従来の光ディスク駆動装置の要部平面図である。
【図１３】従来の光ディスク駆動装置の要部平面図である。
【図１４】従来の光ディスク駆動装置の要部正面図である。
【符号の説明】
【００６３】
１  光ディスク駆動装置、２  メインシャーシ、３  トレイ、４  カムスライダ、８，９  カム溝、８ａ，９ａ  上カム溝部、８ｂ，９ｂ  下カム溝部、８ｃ，９ｃ  傾斜カム溝部、８ｄ，９ｄ  溝壁部、８ｅ，９ｅ  膨出部、１０  昇降部材、１０ａ，１０ｂ  係合ボス、１０ｅ  中空部、１０ｆ  弾性片部、１１  ドライブシャーシ、１６  スピンドルモータ、２５  ターンテーブル、２６  クランパ、２８  弾性部。
【図１】
2009129527.tif 000003
【図２】
2009129527.tif 000004
【図３】
2009129527.tif 000005
【図４】
2009129527.tif 000006
【図５】
2009129527.tif 000007
【図６】
2009129527.tif 000008
【図７】
2009129527.tif 000009
【図８】
2009129527.tif 000010
【図９】
2009129527.tif 000011
【図１０】
2009129527.tif 000012
【図１１】
2009129527.tif 000013
【図１２】
2009129527.tif 000014
【図１３】
2009129527.tif 000015
【図１４】
2009129527.tif 000016